(57)【特許請求の範囲】
【請求項１】
折り畳み可能な本体を有し、待ち受け動作時に所定の画像を待ち受け画面として表示する携帯電話機において、
前記本体が折り畳まれた状態から拡げられる際に、前記本体が折り畳まれる前とは異なる画像を待ち受け画面として表示することを特徴とする携帯電話機。
【請求項２】
前記本体が折り畳まれたことを検知する検知手段と、
前記検知手段によって前記本体が折り畳まれたことが検知された際に、前記待ち受け画面として表示される画像を変更する画像変更手段とを備えることを特徴とする請求項１記載の携帯電話機。
【請求項３】
動作状態を通常状態と休止状態とに切り替えることが可能であり、待ち受け動作時に所定の画像を待ち受け画面として表示する携帯電話機において、
前記携帯電話機の動作状態が通常状態から休止状態に切り替えられ、さらに休止状態から通常状態に切り替えられる際に、休止状態に切り替えられる前とは異なる画像を待ち受け画面として表示することを特徴とする携帯電話機。
【請求項４】
前記動作状態が休止状態に切り替えられたことを検知する検知手段と、
前記検知手段によって動作状態が前記休止状態に切り替えられたことが検知された際に、前記待ち受け画面として表示される画像を変更する画像変更手段とを備えることを特徴とする請求項３記載の携帯電話機。
【請求項５】
複数の画像を記憶する記憶手段をさらに備え、
前記画像変更手段は、待ち受け画面として表示される画像を、前記記憶手段に記憶された複数の画像の中から無作為に選択した画像に変更することを特徴とする請求項２または４記載の携帯電話機。
【請求項６】
前記記憶手段は、複数の画像と複数の音声とを各々対応づけて記憶するものであって、
前記画像変更手段により選択された画像が待ち受け画面として表示される際に、該画像に対応づけて前記記憶手段に記憶された音声を出力する音声出力手段をさらに備えることを特徴とする請求項５記載の携帯電話機。
【発明の詳細な説明】
【０００１】
【発明の属する技術分野】
本発明は、所定の画像を待ち受け画面として表示する携帯電話機に関する。
【０００２】
【従来の技術】
近年、多くの携帯電話機にカラーディスプレイが搭載されるようになり、ディスプレイに表示される画面も多様化している。特に最近では、着信待機時に表示される待ち受け画面として、任意の画像を指定できるようになっており、ユーザの好評を得ている。
【０００３】
【発明が解決しようとする課題】
従来の携帯電話機においては、待ち受け画面として表示される画像は、ユーザが操作を行って設定した画像である。すなわち、待ち受け画面の画像を変更する際には、ユーザがその都度設定操作を行わなければならず、ユーザが設定操作を行わない限り待ち受け画面の画像は変わらない。このため、ユーザが積極的に設定操作を行わないと、待ち受け画面が長期間に渡って変更されず、ユーザが飽きてしまうことがあった。
【０００４】
そこで、本発明の目的は、待ち受け画面を表示する機能に関して興趣性を高めることが可能な携帯電話機を提供することにある。
【０００５】
【課題を解決するための手段】
以上の課題を解決するため、請求項１記載の発明は、
折り畳み可能な本体を有し、待ち受け動作時に所定の画像を待ち受け画面として表示する携帯電話機において、
前記本体が折り畳まれた状態から拡げられる際に、前記本体が折り畳まれる前とは異なる画像を待ち受け画面として表示することを特徴とする。
【０００６】
請求項１記載の発明によれば、折り畳み可能な本体を有し、待ち受け動作時に所定の画像を待ち受け画面として表示する携帯電話機において、本体が折り畳まれた状態から拡げられる際に、本体が折り畳まれる前とは異なる画像を待ち受け画面として表示する。
【０００７】
また、請求項２記載の発明は、請求項１記載の携帯電話機において、
前記本体が折り畳まれたことを検知する検知手段と、
前記検知手段によって前記本体が折り畳まれたことが検知された際に、前記待ち受け画面として表示される画像を変更する画像変更手段とを備えることを特徴とする。
【０００８】
請求項２記載の発明によれば、検知手段によって本体が折り畳まれたことを検知し、検知手段によって本体が折り畳まれたことが検知された際に、画像変更手段により、待ち受け画面として表示される画像を変更する。
【０００９】
これにより、ユーザが設定操作を行わなくても、本体を折り畳む毎に待ち受け画面の画像が変更されるので、面倒な操作を伴うことなく、携帯電話機の待ち受け画面機能の興趣性を高めることができる。
【００１０】
請求項３記載の発明は、動作状態を通常状態と休止状態とに切り替えることが可能であり、待ち受け動作時に所定の画像を待ち受け画面として表示する携帯電話機において、
前記携帯電話機の動作状態が通常状態から休止状態に切り替えられ、さらに休止状態から通常状態に切り替えられる際に、休止状態に切り替えられる前とは異なる画像を待ち受け画面として表示することを特徴とする。
【００１１】
請求項３記載の発明によれば、動作状態を通常状態と休止状態とに切り替えることが可能であり、待ち受け動作時に所定の画像を待ち受け画面として表示する携帯電話機において、携帯電話機の動作状態が通常状態から休止状態に切り替えられ、さらに休止状態から通常状態に切り替えられる際に、休止状態に切り替えられる前とは異なる画像を待ち受け画面として表示する。
【００１２】
また、請求項４記載の発明は、請求項３記載の携帯電話機において、
前記動作状態が休止状態に切り替えられたことを検知する検知手段と、
前記検知手段によって動作状態が前記休止状態に切り替えられたことが検知された際に、前記待ち受け画面として表示される画像を変更する画像変更手段とを備えることを特徴とする。
【００１３】
請求項４記載の発明によれば、検知手段によって、動作状態が休止状態に切り替えられたことを検知し、検知手段によって動作状態が休止状態に切り替えられたことが検知された際に、画像変更手段により、待ち受け画面として表示される画像を変更する。
【００１４】
これにより、ユーザが設定操作を行わなくても、動作状態を休止状態に移行させる毎に待ち受け画面の画像が変更されるので、面倒な操作を伴うことなく、携帯電話機の待ち受け画面機能の興趣性を高めることができる。
【００１５】
請求項５記載の発明は、請求項２または４記載の携帯電話機において、
複数の画像を記憶する記憶手段をさらに備え、
前記画像変更手段は、待ち受け画面として表示される画像を、前記記憶手段に記憶された複数の画像の中から無作為に選択した画像に変更することを特徴とする。
【００１６】
請求項５記載の発明によれば、複数の画像を記憶する記憶手段をさらに備え、画像変更手段は、待ち受け画面として表示される画像を、記憶手段に記憶された複数の画像の中から無作為に選択した画像に変更するので、待ち受け画面の変更に偶発性を持たせることで、より一層の興趣性の向上を図ることができる。
【００１７】
請求項６記載の発明は、請求項５記載の携帯電話機において、
前記記憶手段は、複数の画像と複数の音声とを各々対応づけて記憶するものであって、
前記画像変更手段により選択された画像が待ち受け画面として表示される際に、該画像に対応づけて前記記憶手段に記憶された音声を出力する音声出力手段をさらに備えることを特徴とする。
【００１８】
請求項６記載の発明によれば、記憶手段は、複数の画像と複数の音声とを各々対応づけて記憶するものであって、画像変更手段により選択された画像が待ち受け画面として表示される際に、該画像に対応づけて記憶手段に記憶された音声を音声出力手段によって出力するので、待ち受け画面の変更に伴って様々な音声が出力されることで、より一層の興趣性の向上を図ることができる。
【００１９】
【発明の実施の形態】
以下、本発明の好ましい実施の形態を、図面に基づき説明する。
図１および図２は、本発明を適用した実施の形態としての携帯電話機１の外観図である。図１は、携帯電話機１を開いた開状態を示し、図２は、携帯電話機１を折り畳んだ閉状態を示す。
【００２０】
図１に示すように、携帯電話機１は、本体上部２１、本体下部２２およびヒンジ２３からなる本体２と、本体２に配設されたディスプレイ３、キースイッチ部４、マイク５、およびスピーカ６等を備えて構成される。
【００２１】
携帯電話機１は、いわゆる折り畳み型の携帯電話機である。携帯電話機１の本体２は、本体上部２１と本体下部２２とがヒンジ２３によって連結されて構成され、本体上部２１と本体下部２２とは、図中符号Ａで示す矢印に沿う方向に回動可能である。
【００２２】
このため、本体２は、ヒンジ２３を中心として本体上部２１を回動させることで、本体上部２１の先端部と本体下部２２の先端部とを互いに離隔させ、或いは、本体上部２１の先端部と本体下部２２の先端部とが接触するまで折り畳むことができる。
【００２３】
以下、本体上部２１の先端部と本体下部２２の先端部とが互いに離隔した状態（例えば図１）を“開状態”と称し、本体上部２１の先端部と本体下部２２の先端部とが接した状態（図２）を“閉状態”と称する。
【００２４】
また、本体２において、本体下部２２の先端部にはマイク５が配置され、本体上部２１の先端部にはスピーカ６が配置されている。このため、通話時において、携帯電話機１は、本体上部２１の先端部と本体下部２２の先端部とが大きく離隔した開状態で使用される。一方、携帯電話機１を鞄などに収納する場合、本体２は折り畳まれ、本体上部２１と本体下部２２とが接した閉状態にされる。
従って、本体２が開状態であれば、携帯電話機１が通常動作（例えば、通話発着信や待ち受け）を行っているとみなすことができ、本体２が閉状態であれば、携帯電話機１は休止状態にあるといえる。
【００２５】
図１に示すディスプレイ３は、バックライト等の照明装置（図示略）を備えた液晶表示画面であり、後述する表示部１０８の制御に従って各種画面を表示する。
【００２６】
キースイッチ部４は、文字キー、数字キーの他、通話開始・切断、電話帳編集等の各種機能に対応づけられた各種キーを備える。
【００２７】
マイク５は、通話時、或いは後述する着信音入力処理時にユーザが発する音声を取得して、後述する制御回路１００の音声処理部１０７へ音声信号を出力する。なお、マイク５はノイズ除去のためのフィルタ等を備える構成としても良い。
また、スピーカ６は、後述する音声処理部１０７から入力される音声信号に基づく音声を出力する。
【００２８】
図３は、携帯電話機１に内蔵される制御回路１００の機能的構成を示すブロック図である。図３に示すように、携帯電話機１は、ＣＰＵ（Central Processing Unit）１０１、メモリ１０２、記憶部１０３、電源部１０４、通信制御部１０５、入力部１０６、音声処理部１０７、表示部１０８、および開閉センサ１０９等を備えてなり、これらの各部はバス１１０により接続されている。説明の便宜のため、図３にはマイク５およびスピーカ６を図示する。
なお、図３に示すＣＰＵ１０１は、請求項に記載の画像変更手段に対応し、開閉センサ１０９は請求項に記載の検知手段に対応し、記憶部１０３は請求項に記載の記憶手段に対応する。
【００２９】
ＣＰＵ１０１は、記憶部１０３に記憶される各種システムプログラムを読み出して実行し、制御回路１００の各部を駆動制御する。また、ＣＰＵ１０１は、入力部１０６における入力操作に従って、記憶部１０３に記憶された各種アプリケーションプログラムを読み出して実行し、携帯電話機１の各種機能を実現する。
【００３０】
具体的には、入力部１０６が備える数字キーから通信先の電話番号が入力され、通話開始を指示する操作が行われた場合、ＣＰＵ１０１は、基地局（図示略）に対して通信制御部１０５から発信信号を送信させ、基地局（図示略）との間に無線通信回線を確立し、入力された通信先への通話を可能とする。
【００３１】
また、ＣＰＵ１０１は、通信制御部１０５によって基地局（図示略）から送信された着信信号を受信すると、記憶部１０３に記憶された着信音データの中から予め設定された着信音データを読み出し、音声処理部１０７によって所定の着信音を出力させる。
【００３２】
この他、ＣＰＵ１０１は、入力部１０６における入力操作に従って、通信相手の番号等が設定された電話帳データの追加・削除等の編集処理、及び、指定されたデータの呼び出し処理等を実行する。
【００３３】
また、ＣＰＵ１０１は、記憶部１０３に記憶されたプログラムを実行することにより、基地局（図示略）およびゲートウェイ装置（図示略）を介してインターネット上のウェブサイトにアクセスして、各種のデータをダウンロードして処理するインターネットアクセス機能を実現する。
【００３４】
さらに、携帯電話機１の電源が投入されると、ＣＰＵ１０１は後述する画像・音声設定処理（図５）を実行し、開閉センサ１０９によって、本体２が開状態から閉状態になったことを検知すると、記憶部１０３内の画像・音声記憶部１０３ａに記憶された複数の画像データの中から待ち受け画面として表示する一つの画像データを決定し、メモリ１０２に記憶させるとともに、決定した画像データに対応づけて画像・音声記憶部１０３ａに記憶された音声データをメモリ１０２に記憶させる。そして、ＣＰＵ１０１は、開閉センサ１０９によって、本体２が閉状態から開状態になったことを検知すると、メモリ１０２に記憶された画像データを待ち受け画面として表示させるとともに、メモリ１０２に記憶された音声データに基づく音声を、スピーカ６から出力させる。
【００３５】
メモリ１０２は、ＣＰＵ１０１によって実行される各種プログラム及びこれらプログラムに係るデータを一時的に記憶する。特に、メモリ１０２は、携帯電話機１の待ち受け画面として表示される画像データと、該画像データに対応づけられた音声データとを記憶する。
【００３６】
記憶部１０３は、ＣＰＵ１０１により実行される各種アプリケーションプログラム、及び、これらのプログラムに係るデータ等を記憶する。例えば、記憶部１０３には、過去に通信を行った通信先の電話番号、過去に着信した電話番号や、複数の氏名・名称と各名称に対応する電話番号とが設定された電話帳データが記憶される。また、記憶部１０３には、着信報知時に出力される着信音メロディ等、携帯電話機１の動作に関する各種設定内容が記録された設定データが記憶される。
【００３７】
さらに、記憶部１０３には、画像データおよび音声データを記憶する画像・音声記憶部１０３ａが設けられる。
図４は、画像・音声記憶部１０３ａの構成を模式的に示す図である。
【００３８】
図４に示すように、画像・音声記憶部１０３ａには、複数の画像データが記憶され、さらに、画像データには、各画像データに関連する内容の音声データが対応づけて記憶される。
例えば、「アニメキャラクタ１」と名付けられた画像データには、「声優音声１」と名付けられた音声データが対応づけられている。また、「森のシーン」と名付けられた画像データには、「小川のせせらぎ」と名付けられた音声データが対応づけられている。
【００３９】
なお、画像・音声記憶部１０３ａに記憶される画像データおよび音声データは、通信制御部１０５を介して通信可能な他の機器から送信され、画像・音声記憶部１０３ａに記憶されるものとしても良いし、或いは、携帯電話機１が備える各種インターフェース（図示略）を介してＣＰＵ１０１に入力されるものとしても良い。
【００４０】
電源部１０４は、リチウムイオン電池、ニッケル水素電池等の充電可能なバッテリ（図示略）を内蔵しており、このバッテリ（図示略）からの電力を携帯電話機１の各部へ供給する。
【００４１】
通信制御部１０５はアンテナを備えており、該アンテナを介して、基地局（図示略）との間で無線信号の送受信を実行する。具体的には、前記アンテナによって通話着信を示す無線信号を受信すると、着信を示す信号をＣＰＵ１０１に出力して利用者に対する着信報知動作を実行させ、また、利用者によって入力部１０６が操作され、通話発信指示がＣＰＵ１０１から入力されると、基地局（図示略）との間で無線通信回線を接続する。
【００４２】
入力部１０６は、図１に示すキースイッチ部４に接続され、キースイッチ部４における操作内容を示す操作信号を生成し、ＣＰＵ１０１へ出力する。
【００４３】
音声処理部１０７は、音声コーデックやアンプ等を備え、通信制御部１０５を用いる通信時には、マイク５から入力される音声信号を符号化して通信制御部１０５へ出力するとともに、通信制御部１０５から入力されるデータを復号化して音声信号を生成し、スピーカ６から音声を出力させる。
【００４４】
さらに、音声処理部１０７は、本体２が閉状態から開状態になった場合に、ＣＰＵ１０１から入力される音声データに基づいて、所定の音声をスピーカ６から出力させる。
【００４５】
なお、音声処理部１０７は、各種ヘッドホンを接続可能なヘッドホン端子を備える構成としても良い。また、音声処理部１０７は、スピーカ６とは別に携帯電話機１に設けられた第２のスピーカに接続され、該第２のスピーカから音声を出力するものとしても良い。
【００４６】
表示部１０８はディスプレイ３に接続されており、入力部１０６における入力内容や、電話帳データの内容、或いは、実行中の処理に係るメッセージ等をディスプレイ３に表示させる。さらに、表示部１０８は、携帯電話機１が待ち受け状態にある場合には、ＣＰＵ１０１の制御に従って、待ち受け画面として決定された画像をディスプレイ３に表示させる。
【００４７】
さらに、表示部１０８は、ＣＰＵ１０１の制御に従ってディスプレイ３が備える照明装置（図示略）の点灯制御を行い、キースイッチ部４（図１）における操作があった場合や着信時、および、本体２が閉状態から開状態になった場合に上記照明装置を点灯させる一方、本体２が開状態から閉状態になった場合に上記照明装置を消灯させる。
【００４８】
開閉センサ１０９は、本体２が閉状態にあるか否かを検知して、検知信号をＣＰＵ１０１へ出力する。
【００４９】
図５は、ＣＰＵ１０１により実行される画像・音声設定処理を示すフローチャートである。
図５に示す画像・音声設定処理は、携帯電話機１の電源が投入されることで開始される。なお、携帯電話機１の電源スイッチはキースイッチ部４（図１）に配設されているので、携帯電話機１の電源投入時、本体２は開状態となっている。
【００５０】
ＣＰＵ１０１は、電源投入とともにステップＳ１の動作を実行し、開閉センサ１０９から入力される検知信号を判別し、本体２が開状態になっている間、通常動作（例えば、通話の発着信や待ち受け）を実行する。
【００５１】
そして、ＣＰＵ１０１は、本体２が折り畳まれて閉状態にされたと判別すると（ステップＳ１；Ｙｅｓ）、ステップＳ２に移行して、画像・音声記憶部１０３ａに記憶された画像データの中から、次に本体２が開状態になった際に待ち受け画面として表示すべき画像を決定する。
このステップＳ２において、ＣＰＵ１０１は、画像・音声記憶部１０３ａに記憶された利用可能な画像データの中から、例えばランダムに１つの画像データを選択する。
【００５２】
次に、ＣＰＵ１０１はステップＳ３に移行して、ステップＳ２で決定した画像データと、該画像データに対応づけて記憶された音声データとを画像・音声記憶部１０３ａから読み出して、メモリ１０２に記憶させる。
ここで、すでに待ち受け画面として表示する画像データと該画像データに対応づけられた音声データとがメモリ１０２に記憶されている場合、ＣＰＵ１０１は、メモリ１０２に記憶されている画像データおよび音声データを消去して、画像・音声記憶部１０３ａから新たに読み出した画像データおよび音声データをメモリ１０２に記憶させる。
【００５３】
その後、ＣＰＵ１０１はステップＳ４に移行して、開閉センサ１０９から入力される検知信号をもとに本体２が開状態になったか否かを判別し、本体２が閉状態になっている場合は、開状態になるまで待機する。
【００５４】
そして、ＣＰＵ１０１は、本体２が開状態になったと判別すると（ステップＳ４；Ｙｅｓ）、メモリ１０２に記憶された画像データを待ち受け画面として表示部１０８によってディスプレイ３に表示させるとともに、メモリ１０２に記憶された音声データに基づく音声を、音声処理部１０７によってスピーカ６に出力させる。
【００５５】
そして、ＣＰＵ１０１はステップＳ６に移行し、携帯電話機としての通常動作、すなわち通話の発着信等の機能を実現可能な状態にする。
【００５６】
以上のように、本発明を適用した実施の形態としての携帯電話機１によれば、本体２が閉状態にされると、次に本体２が開状態になった際に待ち受け画面としてディスプレイ３に表示する画像をランダムに決定するので、待ち受け画面の画像が、本体２を開閉する毎に異なる画像に切り替えられる。これにより、ユーザが設定操作を行わなくても待ち受け画面の画像が変更されるので、携帯電話機１の待ち受け画面機能について、興趣性の向上を図ることができる。さらに、待ち受け画面の変更に偶発性を持たせることで、より一層の興趣性の向上を図ることができる。
【００５７】
また、本体２が開状態になって待ち受け画面が表示される際に、待ち受け画面の画像に対応づけられた音声が出力されるので、より一層の興趣性の向上を図ることができる。
【００５８】
なお、本発明は上記した実施の形態に限定されるものではなく、特許請求の範囲に記載した技術思想の範囲内において種々の変更が可能なのはいうまでもない。
【００５９】
すなわち、上記実施の形態においては、携帯電話機１を折り畳み可能な携帯電話機としたが、本発明はこれに限定されるものではなく、本体２を、可動部を有しない一個の筐体として構成しても良い。このような携帯電話機では、通常の動作状態（例えば、通話の発着信や待ち受け）の他に、キー操作を受け付けない休止状態が用意されているので、通常の動作状態から休止状態への移行、および、休止状態から通常の動作状態への復帰の際に、上記の画面・音声設定処理を行うことができる。
詳細には、図５のステップＳ１およびＳ４において、携帯電話機が休止状態にあるか否かを判別し、通常の動作状態から休止状態への移行時に、ステップＳ２〜Ｓ３の処理を実行し、休止状態から通常の動作状態への復帰時に、ステップＳ５の処理を実行することにより、上記実施の形態と同様の効果を得ることができる。
【００６０】
また、上記実施の形態においては、画像・音声記憶部１０３ａに記憶された複数の画像データの中から待ち受け画面として表示する画像を決定する際、ランダムに画像を決定するものとしたが、本発明はこれに限定されるものではなく、例えば、予めユーザが指定した順序に従って画像を決定することも可能である。
【００６１】
さらに、上記実施の形態においては、本体２が折り畳まれて閉状態になった際に、画像・音声記憶部１０３ａに記憶された画像データの中から１つの画像データを決定するものとしたが、本発明はこれに限定されるものではなく、本体２が閉状態から開状態になった際に、画像・音声記憶部１０３ａに記憶された画像データの中から１つの画像データを決定する処理を行うようにしても良い。
【００６２】
その他、本体２の細部形状等、具体的な構成については、本発明の趣旨を損なうことのない範囲において適宜変更可能である。
【発明の効果】
以上説明したように、本発明による携帯電話機によれば、ユーザが設定操作を行わなくても、本体を折り畳む毎に待ち受け画面の画像が変更されるので、面倒な操作を伴うことなく、携帯電話機の興趣性を高めることができる。
【００６３】
また、ユーザが設定操作を行わなくても、動作状態を休止状態に移行させる毎に待ち受け画面の画像が変更されるので、面倒な操作を伴うことなく、携帯電話機の待ち受け画面機能の興趣性を高めることができる。
【００６４】
さらに、待ち受け画面の変更に偶発性を持たせることで、より一層の興趣性の向上を図ることができる。
【００６５】
また、待ち受け画面の変更に伴って様々な音声が出力されることで、より一層の興趣性の向上を図ることができる。
【図面の簡単な説明】
【図１】本発明を適用した実施の形態としての携帯電話機１の外観図である。
【図２】本発明を適用した実施の形態としての携帯電話機１の外観図である。
【図３】携帯電話機１に内蔵される制御回路１００の機能的構成を示すブロック図である。
【図４】図３に示す記憶部１０３に設けられる画像・音声記憶部１０３ａの構成を模式的に示す図である。
【図５】図３に示すＣＰＵ１０１により実行される画像・音声設定処理を示すフローチャートである。
【符号の説明】
１    携帯電話機
２    本体
２１    本体上部
２２    本体下部
２３    ヒンジ
３    ディスプレイ
４    キースイッチ部
５    マイク
６    スピーカ
１００    制御回路
１０１    ＣＰＵ
１０２    メモリ
１０３    記憶部
１０３ａ    画像・音声記憶部
１０４    電源部
１０５    通信制御部
１０６    入力部
１０７    音声処理部
１０８    表示部
１０９    開閉センサ
１１０    バス
【図１】
0003886409.tif 000002
【図２】
0003886409.tif 000003
【図３】
0003886409.tif 000004
【図４】
0003886409.tif 000005
【図５】
0003886409.tif 000006